(57)【要約】【課題】人体に直接押し当てて使用されるエアゾール製品において、冷却効果の持続時間等、冷却性能に優れたエアゾール製品の提供を目的とする。【解決手段】本発明は、液化ガスを含有する内容物Ａが充填されているエアゾール容器２と、人体に押し当てて人体を冷却する冷却具３とを備えたエアゾール製品１であって、冷却具３が、エアゾール製品１の操作によりエアゾール容器２から吐出された内容物Ａを一時的に保持する内部空間３３と、内部空間３３と冷却具３の外部との間に形成された連通路３４と、冷却具３の外側表面側に設けられた金属製の冷却板３５と、冷却板３５と内部空間３３との間に設けられた非金属製の隔壁３６ａとを備え、連通路３４がエアゾール容器２の中心軸より外周に設けられており、液化ガスが気化することにより、冷却板３５を冷却することを特徴とする。【選択図】図１
2014234226.tif 000002
【特許請求の範囲】
【請求項１】
液化ガスを含有する内容物が充填されているエアゾール容器と、前記エアゾール容器に装着され、前記内容物を吐出するために操作されたときに、前記エアゾール容器内の内容物の吐出が可能な、人体に押し当てて人体を冷却する冷却具とを備えたエアゾール製品であって、
前記冷却具が、前記エアゾール製品の操作により前記エアゾール容器から吐出された内容物を一時的に保持する内部空間と、前記内部空間と前記冷却具の外部との間に形成された連通路と、前記冷却具の外側表面側に設けられた金属製の冷却板と、前記冷却板と前記内部空間との間に設けられた非金属製の隔壁とを備え、
前記連通路がエアゾール容器の中心軸より外周に設けられており、
前記液化ガスが気化することにより、前記冷却板を冷却することを特徴とするエアゾール製品。
【請求項２】
前記冷却具が、前記エアゾール容器に装着され、エアゾール容器の中心軸に沿って、エアゾール容器内部と前記内部空間との間に設けられた中心通路を有する本体部と、前記本体部に装着され、本体部とともに前記内部空間を形成する冷却部とを備え、
前記冷却部が、前記本体部に装着され、前記非金属製の隔壁を含む非金属製の基部を備え、前記基部に、前記内部空間を形成する、前記中心通路に対して外周方向に広がる凹み部が形成され、前記連通路の内部空間側の端部が、前記凹み部の外周側に配置されている請求項１記載のエアゾール製品。
【請求項３】
前記冷却板が、前記基部とは反対側に向かって凸となる凸面状に形成され、
前記凸面状の冷却板の頂部が、前記連通路の出口側の端部よりも突出した位置となるように形成されている請求項１または２記載のエアゾール製品。
【請求項４】
前記連通路が、前記隔壁および前記冷却板を貫通して形成された通路として形成されている請求項１〜３のいずれか１項に記載のエアゾール製品。
【請求項５】
前記連通路の出口側の端部が前記冷却板の外周縁に沿った位置に配置されるように、前記連通路が形成されている請求項１〜３のいずれか１項に記載のエアゾール製品。
【請求項６】
前記連通路が、環状に設けられた複数の連通孔であることを特徴とする請求項１〜５のいずれか１項に記載のエアゾール製品。
【発明の詳細な説明】
【技術分野】
【０００１】
本発明は、エアゾール製品に関する。さらに詳しくは、人体に直接押し当てて使用されるエアゾール製品において、冷却効果の持続時間等、冷却性能に優れたエアゾール製品に関する。
【背景技術】
【０００２】
塗布する部材を塗布対象に押し付けて内容物を塗布する塗布型のエアゾール製品として様々なものが知られている。
【０００３】
そのような塗布型のエアゾール製品の１つとして、特許文献１には人体用エアゾール製品が開示されている。特許文献１に開示された人体用エアゾール製品は、図６に示されるように、有効成分および液化ガスを含有するエアゾール組成物１００が充填されるエアゾール容器１０１と、エアゾール容器１０１に装着される塗布部材１０２とを備えている。この特許文献１の塗布部材１０２は、エアゾール容器１０１から噴射された内容物（エアゾール組成物１００）を一時貯留する貯留空間１０３を備え、人体に押し付けると人体の形状に応じて変形し塗布することができる軟質な発泡体１０４および硬質な発泡体１０５で構成されている。特許文献１には、図６に示されるように、軟質な発泡体１０４の下面に硬質な発泡体１０５を備えた塗布部１０６や、軟質な発泡体の内面に硬質な発泡体を備えた塗布部（図示せず）が開示されており、患部に薬液を塗布するときに、塗布部１０６の軟質な発泡体１０４の上面を押し当てることにより患部の形状に応じて塗布部１０６を変形させ、患部と密着させて薬液を塗布する。この特許文献１に開示された塗布部１０６の軟質な発泡体１０４および硬質な発泡体１０５は、ともに合成樹脂を発泡させて成形したものであり、図６に示されるように、ステム１０７の軸線上に中心通路１０８が軟質な発泡体１０４および硬質な発泡体１０５を貫通するように設けられている。
【０００４】
また、特許文献２には、図７に示されるように、エアゾール容器２００と、エアゾール容器２００の弁に取り付けられた塗布体２０１とを有したエアゾール製品が開示されている。この特許文献２のエアゾール製品は、塗布体２０１を皮膚に押圧して液剤を塗布するように構成されている。特許文献２のエアゾール製品において用いられる塗布体２０１は、図７に示されるように、ステム２０２に取り付けられる本体２０３と、本体２０３に装着され、ポリエチレン、ポリプロピレン、またはエチレン・酢酸ビニルコポリマー等の粒体を焼結成形することにより構成された焼結多孔質体２０４とからなり、本体２０３と焼結多孔質体２０４との間に空隙２０５が形成され、焼結多孔質体２０４の中央部には空隙２０５と外側部とを連通させる貫通孔２０６を備えている。
【０００５】
また、特許文献３には、一般塗装用、ガラス戸やカーペットの洗浄用、自動車用タイヤの艶出し用などの用途に用いられるエアゾール装置が開示されている。このエアゾール装置は、図８に示されるように、エアゾール容器３００と、エアゾール容器３００の噴射弁（ステム）３０１側の筒端に嵌着されたアダプタ３０２と、噴射弁３０１のステムと嵌合しうる弁嵌合孔３０３を有する操作部材３０４とを有し、操作部材３０４を押圧することによって噴射弁３０１を開くように構成されている。操作部材３０４の上面には、図８に示されるように、エアゾール内容液を湿潤状態に含有することができる塗布手段としてのスポンジ３０５が設けられている。この特許文献３の塗布手段（スポンジ３０５）は、操作部材３０４の上面に設けられた独立気泡スポンジ３０６と、独立気泡スポンジ３０６の上面に設けられた連続気泡スポンジ３０７とから構成されている。
【先行技術文献】
【特許文献】
【０００６】
【特許文献１】特開２００７−３３０３１３号公報
【特許文献２】特開２０１２−１９２９７１号公報
【特許文献３】特開平３−２８９５４号公報
【発明の概要】
【発明が解決しようとする課題】
【０００７】
以上のように、特許文献１〜３には塗布型のエアゾール製品が開示されているが、特に人体に押し当てて使用される人体用のエアゾール製品として用いる場合、様々な問題が生じ得る。すなわち、特許文献１の塗布部材１０２は、ステム１０７の軸線上に中心通路１０８が貫通するように設けられているため、吐出された内容物（エアゾール組成物１００）が直接人体の皮膚に付着し、強く冷却しすぎて、場合によっては冷却による傷みを感じてしまうという問題がある。
【０００８】
また、特許文献２の塗布体２０１は、焼結多孔質体２０４を介して薬剤を塗布するように構成されているが、焼結多孔質体２０４に含浸された内容物は、皮膚表面に到達するまでの移動が遅く、冷却が弱く感じられる。
【０００９】
特許文献３の塗布手段（スポンジ３０５）は、塗布する部分がスポンジであるため液化ガスにより冷却されてもすぐに外部に放出され、冷却効果が持続しない。
【００１０】
そこで、本発明はかかる問題点に鑑みて、人体に直接押し当てて使用されるエアゾール製品において、冷却効果の持続時間等、冷却性能に優れたエアゾール製品の提供を目的とする。
【課題を解決するための手段】
【００１１】
本発明のエアゾール製品は、液化ガスを含有する内容物が充填されているエアゾール容器と、前記エアゾール容器に装着され、前記内容物を吐出するために操作されたときに、前記エアゾール容器内の内容物の吐出が可能な、人体に押し当てて人体を冷却する冷却具とを備えたエアゾール製品であって、前記冷却具が、前記エアゾール製品の操作により前記エアゾール容器から吐出された内容物を一時的に保持する内部空間と、前記内部空間と前記冷却具の外部との間に形成された連通路と、前記冷却具の外側表面側に設けられた金属製の冷却板と、前記冷却板と前記内部空間との間に設けられた非金属製の隔壁とを備え、前記連通路がエアゾール容器の中心軸より外周に設けられており、前記液化ガスが気化することにより、前記冷却板を冷却することを特徴とする。
【００１２】
また、前記冷却具が、前記エアゾール容器に装着され、エアゾール容器の中心軸に沿って、エアゾール容器内部と前記内部空間との間に設けられた中心通路を有する本体部と、前記本体部に装着され、本体部とともに前記内部空間を形成する冷却部とを備え、前記冷却部が、前記本体部に装着され、前記非金属製の隔壁を含む非金属製の基部を備え、前記基部に、前記内部空間を形成する、前記中心通路に対して外周方向に広がる凹み部が形成され、前記連通路の内部空間側の端部が、前記凹み部の外周側に配置されていることが好ましい。
【００１３】
また、前記冷却板が、前記基部とは反対側に向かって凸となる凸面状に形成され、前記凸面状の冷却板の頂部が、前記連通路の出口側の端部よりも突出した位置となるように形成されていることが好ましい。
【００１４】
また、前記連通路が、前記隔壁および前記冷却板を貫通して形成された通路として形成されていることが好ましい。
【００１５】
また、前記連通路の出口側の端部が前記冷却板の外周縁に沿った位置に配置されるように、前記連通路が形成されていることが好ましい。
【００１６】
また、前記連通路が、環状に設けられた複数の連通孔であることが好ましい。
【発明の効果】
【００１７】
本発明によれば、冷却具が、エアゾール製品の操作によりエアゾール容器から吐出された内容物を一時的に保持する内部空間と、内部空間と前記冷却具の外部との間に形成された連通路と、冷却具の外側表面側に設けられた金属製の冷却板と、冷却板と内部空間との間に設けられた非金属製の隔壁とを備え、前記連通路がエアゾール容器の中心軸より外周に設けられており、液化ガスが気化することにより、冷却板を冷却するため、液化ガスが気化した際に、金属製の冷却板により、液化ガスの気化熱が冷却板に伝わりやすい。したがって、金属製の冷却板を用いることにより、人体に押し当てて使用される冷却板を強く冷却することができる。また、冷却板と内部空間との間に、非金属製の隔壁が設けられているため、人体の皮膚からの熱が、内部空間内の内容物に伝達しにくい。したがって、エアゾール容器内から内部空間内に移動した液化ガスにより冷却された内部空間内の温度が上がりにくく、内容物中の液化ガスがゆっくりと気化し、冷却効果が持続する。さらに、前記連通路がエアゾール容器の中心軸より外周に設けられているため、エアゾール容器から吐出された内容物は皮膚に直接、一点に集中して付着せず、皮膚の過冷却を防止することができる。
【００１８】
また、冷却具が、エアゾール容器に装着され、エアゾール容器の中心軸に沿って、エアゾール容器内部と内部空間との間に設けられた中心通路を有する本体部と、本体部に装着され、本体部とともに内部空間を形成する冷却部とを備え、冷却部が、本体部に装着され、非金属製の隔壁を含む非金属製の基部を備え、基部に、内部空間を形成する、中心通路に対して外周方向に広がる凹み部が形成され、連通路の内部空間側の端部が、凹み部の外周側に配置されている場合には、本体部の中心通路から供給される内容物は内部空間に到達すると、内部空間の外周側に配置された、連通路の内部空間側の端部に向かって移動する。したがって、内容物中の液化ガスが、内部空間内の中心から外周側に向かって移動して、液化ガスが内部空間全体に広がり、凹み部全体を冷却することができる。
【００１９】
また、冷却板が、基部とは反対側に向かって凸となる凸面状に形成され、凸面状の冷却板の頂部が、連通路の出口側の端部よりも突出した位置となるように形成されている場合には、連通路の出口側の端部から気化された液化ガスが吐出されるため、連通路の出口側の端部から冷却板の頂部に向かって冷却板が冷却される。したがって、冷却板の外周側から中心に向かって冷却されるため、人体の皮膚に直接接触する冷却板の頂部が過冷却されにくいため、過冷却による痛みを感じない。また、冷却板の頂部が、連通路の出口側の端部よりも突出した位置にあるため、人体の皮膚に冷却板を押し当てた際に、連通路の出口側の端部が、人体の皮膚により塞がれない。したがって、皮膚が過冷却されにくいうえ、冷却板を人体の皮膚に押し当てたまま、エアゾール容器から連続して内容物を吐出することができる。
【００２０】
また、連通路が、隔壁および冷却板を貫通して形成された通路として形成されている場合には、冷却板を効率良く冷却することができる。また、内容物中に、人体の皮膚に塗布する有効成分を含有している場合に、連通路から吐出された吐出物を冷却板により皮膚に塗布しやすい。
【００２１】
また、連通路の出口側の端部が冷却板の外周縁に沿った位置に配置されるように、連通路が形成されている場合には、冷却板をより外周側から中心に向かって冷却しやすく、皮膚の過冷却をより防ぐことができる。
【００２２】
また、連通路が、環状に設けられた複数の連通孔である場合には、冷却板を外周側から中心に向かって、均等に冷却することができる。
【図面の簡単な説明】
【００２３】
【図１】（ａ）は、本発明のエアゾール製品の実施の形態１の断面図であり、（ｂ）は、本発明のエアゾール製品の実施の形態１の冷却部の上面図である。
【図２】（ａ）〜（ｃ）は、実施の形態１の冷却部の変形例を示す上面図である。
【図３】本発明のエアゾール製品の実施の形態１の使用状態を説明する断面図である。
【図４】（ａ）は、本発明のエアゾール製品の実施の形態２の部分断面図であり、（ｂ）は、本発明のエアゾール製品の実施の形態２の冷却部の上面図である。
【図５】（ａ）は、本発明のエアゾール製品の実施の形態３の部分断面図であり、（ｂ）は、本発明のエアゾール製品の実施の形態３の冷却部の上面図である。
【図６】従来のエアゾール製品を示す断面図である。
【図７】従来のエアゾール製品を示す部分断面図である。
【図８】従来のエアゾール製品を分解して示す部分断面図である。
【発明を実施するための形態】
【００２４】
以下、添付図面を参照し、本発明のエアゾール製品を詳細に説明する。
【００２５】
実施の形態１
図１（ａ）に示すエアゾール製品１は、液化ガスを含有する内容物Ａが充填されているエアゾール容器２と、エアゾール容器２に装着され、内容物Ａを吐出するために操作されたときに、エアゾール容器２内の内容物Ａの吐出が可能な、人体に押し当てて人体を冷却する冷却具３とを備えている。
【００２６】
エアゾール容器２は、公知の耐圧容器を用いることができ、アルミニウムやブリキなどの金属板や円盤状のスラグをインパクト加工または絞りしごき加工などによって底部と胴部を形成し、さらにネッキング加工、カーリング加工によって肩部、ビード部２ａを形成している。なお、ブリキや錫−ニッケル系鋼板などの金属板を円筒状にした胴部に、底部と、ビード部２ａを形成した目金とを二重巻き締めにより固着した３ピース缶、あるいは２ピース缶を用いても良い。さらに、耐圧ガラスや合成樹脂など、耐圧性を有する他の材質であってもよい。
【００２７】
また、エアゾール容器２は、図１（ａ）に示されるように、エアゾールバルブ２１を備えている。エアゾールバルブ２１は、図示した構造に限定されるものではなく、他の公知の構造を用いることができるが、図１（ａ）に示した構造では、エアゾールバルブ２１は、エアゾール容器２のビード部２ａにガスケットを介して固着されるマウンティングカップ２１ａと、マウンティングカップ２１ａの中央部に保持されるハウジング２１ｂと、ハウジング２１ｂ内にスプリング２１ｃと共に収容されスプリング２１ｃにより常時上方に付勢されるステム２１ｄと、その内径面にステム２１ｄを挿入し、ステム２１ｄがスプリング２１ｃの反発力により上向きに付勢されている状態でステム２１ｄのステム孔を覆うあるいはステム孔より下方の外周面全体を覆いエアゾール容器内部を密封するステムラバー２１ｅとを備えている。このエアゾールバルブ２１は、ステム２１ｄが図１（ａ）中、エアゾール容器２の軸線下方に移動することによりステム孔が開放されるプッシュダウン式であり、エアゾール製品１を倒立状態にして使用するためハウジング２１ｂにはディップチューブが装着されていない。なお、冷却具３の構造については後述するが、図１（ａ）に示されるように、冷却具３は、ステム２１ｄを介してエアゾール容器２に装着されており、冷却具３全体をステム２１ｄに向かって押し込むことにより、ステム孔を通じて内容物Ａが吐出される。
【００２８】
なお、エアゾール容器２には、図１（ａ）に示されるように、肩カバー４が装着されており、エアゾールバルブ２１の外周を覆って、エアゾールバルブ２１を保護している。この肩カバー４の図中上部には、図示しないキャップを装着することができ、使用しないときにエアゾール製品１が誤って操作されることを防止する。
【００２９】
エアゾール容器２内に充填される内容物Ａ（エアゾール組成物）は、気化したときに冷却効果を生じる液化ガスを含有している。また、液化ガスは、内容物Ａの噴射剤として、さらにはエアゾール容器２から放出された内容物Ａ自身を冷却する自己冷却成分としても作用する。液化ガスは沸点が５℃以下であるものが冷却効果に優れているという点から好ましく、たとえば、プロパン、ノルマルブタン、イソブタンおよびこれらの混合物からなる液化石油ガス、ジメチルエーテル、トランス−１，３，３，３−テトラフルオロプロパ−１−エン（ＨＦＯ−１２３４ｚｅ）、トランス−２，３，３，３−テトラフルオロプロパ−１−エン（ＨＦＯ−１２３４ｙｆ）などのハイドロフルオロオレフィン、およびこれらの混合物などがあげられる。さらに冷却温度や持続時間などを調整するためにノルマルペンタン、イソペンタンなどの沸点が５〜４０℃である炭化水素を配合しても良い。液化ガスの蒸気圧は特に限定されるものではないが、液化ガスが吐出され気化した後に液化ガスが残留しやすく冷却効果に優れている点から、たとえば、２０℃での蒸気圧が０．０５〜０．４（ＭＰａ）、さらには０．０８〜０．３（ＭＰａ）である液化ガスを用いることが好ましい。
【００３０】
液化ガスの配合量は、後述する冷却板３５を冷却可能であれば特に限定されないが、たとえば、内容物Ａ中、４０〜９９質量％、さらには６０〜９８．５質量％、特に７０〜９８質量％であることが好ましい。液化ガスの配合量が４０質量％よりも小さい場合は自己冷却能力が不充分であり、吐出した内容物内に液化ガスが残留しにくく冷却効果が弱くなりやすい。一方、液化ガスの配合量が９９質量％よりも大きい場合は液化ガスの気化が速くなり冷却効果を持続し難くなる。
【００３１】
内容物Ａは、液化ガスに加えて、有効成分を含む原液を含んでいてもよい。有効成分は、製品の用途や目的などに応じて適宜選択できるものであり、たとえば、サリチル酸メチル、ケトプロフェン、インドメタシン、フェルビナクなどの消炎鎮痛剤；硝酸ミコナゾール、エコナゾール、ビフォナゾール、クロトリマゾール、塩酸ネチコナゾール、硝酸スルコナゾール、硝酸オキシコナゾール、塩酸テルビナフィン、塩酸ブテナフィンなどの抗真菌剤；尿素、リドカイン、ジブカイン、プロカイン、塩酸ジブカイン、塩酸リドカイン、塩酸プロカイン、アミノ安息香酸エチル、オキシポリエントキシドデカン、塩酸ジフェニルピラリン、塩酸ジフェンヒドラミン、クロルフェニラミン、サリチル酸ジフェンヒドミン、クロタミトンなどの鎮痒剤；Ｎ、Ｎ−ジエチル−ｍ−トルアミド（ディート）、カプリル酸ジエチルアミドなどの害虫忌避剤；パラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾールなどの殺菌剤；トウガラシチンキ、ジカプリル酸ピリドキシン、センブリ抽出物、酢酸−ｄｌ−α−トコフェロールなどの血行促進剤；ｌ−メントール、カンフルなどの清涼剤；アラントインヒドロキシアルミニウム、クエン酸、乳酸、タンニン酸などの収斂剤；アラントイン、グリチルレチン酸、アズレンなどの抗炎症剤；ラウリル酸メタクリレート、安息香酸メチル、フェニル酢酸メチル、ゲラニルクロトレート、ミリスチン酸アセトフェノン、酢酸ベンジル、プロピオン酸ベンジルなどの消臭剤；クロロヒドロキシアルミニウムなどの制汗剤；グリシン、アラニン、ロイシン、イソロイシン、セリン、スレオニントリプトファン、シスチン、システイン、アスパラギン酸、グルタミン酸などのアミノ酸；レチノール、パルミチン酸レチノール、塩化ピリドキシン、ニコチン酸ベンジル、ニコチン酸アミド、ニコチン酸ｄｌ−α−トコフェロール、ビタミンＤ２（エルゴカシフェロール）、ｄｌ−α−トコフェロール、酢酸ｄｌ−α−トコフェロール、パントテン酸、ビオチンなどのビタミン類；α−トコフェロール、ジブチルヒドロキシトルエン、ブチルヒドロキシアニソールなどの酸化防止剤；ドクダミエキス、オウバクエキス、シャクヤクエキス、ヘチマエキス、キナエキス、サクラソウエキス、バラエキス、レモンエキス、アロエエキス、ショウブ根エキス、ユーカリエキス、セージエキス、茶エキス、海藻エキス、プラセンタエキス、シルク抽出液などの抽出液；合成香料、天然香料などの香料；などがあげられる。
【００３２】
有効成分は直接液化ガスに溶解させても良いが、冷却効果が持続しやすい点から溶媒に溶解させて配合することが好ましい。その場合の配合量は、原液中０．１〜５０質量％、さらには０．５〜４０質量％であることが好ましい。有効成分の配合量が０．１質量％未満の場合は有効成分濃度が低く、所望の効果を得るためには使用量が多くなり、５０質量％を超えると溶媒による冷却の持続効果が弱くなる傾向がある。
【００３３】
前記溶媒は有効成分を溶解あるいは分散させるだけでなく、エアゾール容器２から放出されると液化ガスの気化によって冷却され冷却効果を持続させる。溶媒としては、たとえば、精製水、イオン交換水、生理食塩水、海洋深層水などの水；エタノール、イソプロパノールなどの１価の低級アルコール；エチレングリコール、プロピレングリコール、１，３−ブチレングリコール、グリセリン、ジエチレングリコールなどの多価アルコールなどがあげられる。
【００３４】
溶媒の配合量は特に限定されないが、原液中５０〜９９．９質量％、さらには６０〜９９．５質量％であることが好ましい。溶媒の配合量が５０質量％未満の場合は冷却効果が持続しにくくなり、９９．９質量％よりも多くなると有効成分を必要量配合しにくくなり１回での使用量が多くなる。
【００３５】
なお、原液は有効成分と溶媒以外に、油性成分、界面活性剤、補助成分などを配合することができる。
【００３６】
油性成分は、有効成分を付着しやすくする、さらっとした感触を得るなど使用感を向上させる、皮膚に潤いを与える、乾燥しにくくするなどの目的で用いられる。油性成分としては、たとえば、オクタメチルトリシロキサン、デカメチルテトラシロキサン、メチルポリシロキサン、オクタメチルシクロテトラシロキサン、デカメチルシクロペンタシロキサン、ドデカメチルシクロヘキサシロキサン、メチルフェニルポリシロキサンなどのシリコーンオイル；ミリスチン酸イソプロピル、オクタン酸セチル、ミリスチン酸オクチルドデシル、パルミチン酸イソプロピル、フタル酸ジエチル、フタル酸ジエトキシエチル、コハク酸ジエトキシエチル、セバシン酸ジエチルなどのエステル油；スクワラン、スクワレン、流動パラフィン、イソパラフィンなどの炭化水素油；ラウリルアルコール、セチルアルコール、ステアリルアルコール、ミリスチルアルコール、オレイルアルコール、イソステアリルアルコールなどの高級アルコール；ラウリン酸、ミリスチン酸、パルミチン酸、ステアリン酸、オレイン酸などの高級脂肪酸；ミツロウ、ラノリン、カンデリラロウ、パラフィンワックスなどのロウ（ワックス類）；ツバキ油、トウモロコシ油、オリーブ油、ヒマシ油、サフラワー油、ホホバ油、ヤシ油などの油脂；などがあげられる。
【００３７】
油性成分を配合する場合の配合量は、原液中０．１〜１０質量％、さらには０．５〜５質量％であることが好ましい。油性成分の配合量が０．１質量％未満の場合は油性成分を配合する効果が得られにくく、１０質量％を超えるとべたつき感が強くなる、乾燥性が悪くなるなど、使用感が低下しやすい。
【００３８】
界面活性剤は、溶媒に溶解し難い有効成分を可溶化させる、有効成分を付着させやすくする、などの目的で用いられる。界面活性剤としては、たとえば、ソルビタン脂肪酸エステル、グリセリン脂肪酸エステル、ポリ（ジ、トリ、テトラ、ペンタ、ヘキサ、デカなど）グリセリン脂肪酸エステル、ポリオキシエチレンソルビタン脂肪酸エステル、ポリオキシエチレングリセリン脂肪酸エステル、ポリエチレングリコール脂肪酸エステル、ポリオキシエチレンアルキルエーテル、ポリオキシエチレンポリオキシプロピレンアルキルエーテル、ポリオキシエチレンヒマシ油・硬化ヒマシ油、ポリオキシエチレンラノリンアルコール、ポリオキシエチレンアルキルアミン、ポリオキシエチレン脂肪酸アミド、脂肪酸アルキロールアミド、アルキルポリグルコシド、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体などの非イオン系界面活性剤などがあげられる。
【００３９】
界面活性剤を配合する場合の配合量は、原液中０．１〜１０質量％、さらには０．５〜５質量％であることが好ましい。界面活性剤の配合量が０．１質量％未満の場合は界面活性剤を配合する効果を得られにくく、１０質量％を超えると刺激が強くなる、べたつき感が強くなる、乾燥性が悪くなるなど、使用感が低下しやすい。
【００４０】
補助成分としては、たとえば、原液のｐＨを調整して有効成分を安定に溶解するためのｐＨ調整剤、原液に粘性を付与して冷却効果を調整するための増粘剤、などがあげられる。
【００４１】
ｐＨ調整剤としては、たとえば、トリエタノールアミン（ＴＥＡ）、ジエタノールアミン（ＤＥＡ）、モノエタノールアミン（ＭＥＡ）、ジイソプロパノールアミン（ＤＩＰＡ）、２−アミノ−２−メチル−１−プロパノール（ＡＭＰ）、２−アミノ−２−メチル−１，３−プロパンジオール（ＡＭＰＤ）などの有機アルカリ、水酸化カリウム、水酸化ナトリウム、水酸化アンモニウムなどの無機アルカリ、クエン酸、グリコール酸、乳酸、リン酸などの有機酸、塩酸などの無機酸などがあげられる。
【００４２】
増粘剤としては、たとえば、寒天、デキストリン、ペクチン、デンプン、ゼラチン、ゼラチン加水分解物、アルギン酸ナトリウム、メチルセルロース、エチルセルロース、ヒドロキシエチルセルロース、ヒドロキシプロピルセルロース、ニトルセルロース、結晶セルロース、キサンタンガム、ジェランガム、変性ポテトスターチ、ポリビニルアルコール、ポリビニルピロリドン、カルボキシビニルポリマーなどがあげられる。
【００４３】
増粘剤を配合する場合の配合量は、原液中０．０１〜５質量％、さらには０．１〜３質量％であることが好ましい。増粘剤の配合量が０．０１質量％未満の場合は粘度上昇が少なく増粘剤の配合効果を得られにくく、５質量％を超えると粘度が高くなりすぎるため、後述する内部空間３３内で吐出した内容物Ａが滞留しやすく即効性が悪くなる。
【００４４】
原液は、有効成分を溶媒に溶解あるいは分散（乳化）させることにより調製することができるが、内部空間３３内で液化ガスが徐々に気化しても分離せず、均一な組成で皮膚に塗布できるという点から、有効成分が溶媒に溶解した均一なものが好ましい。
【００４５】
原液は内容物Ａ中１〜６０質量％、さらには１．５〜４０質量％、特に２〜３０質量％であることが好ましい。原液の配合量が１質量％未満の場合は冷却効果が持続しにくく、６０質量％を超えると冷却感を得られにくく、内部空間３３内に原液が残りやすくなるため、使い勝手が悪い。
【００４６】
内容物Ａは、エアゾール容器２に原液を充填し、エアゾール容器２の開口部にエアゾールバルブ２１を固着するときに液化ガスをアンダーカップ充填により充填することにより調製できる。なお、液化ガスはエアゾールバルブ２１を固着した後でステム２１ｄから充填しても良い。得られる内容物Ａは、内部空間３３内で液化ガスが徐々に気化しても原液と液化ガスとが分離せずに均一な組成で塗布できるように、原液と液化ガスとが均一に溶解したものが好ましい。
【００４７】
次に、本実施形態の冷却具３について説明する。冷却具３は、図１（ａ）に示されるように、エアゾール容器２に装着され、エアゾール容器２の中心軸に沿って設けられた中心通路３１ａを有する本体部３１と、本体部３１に装着され、本体部３１とともに内部空間３３を形成する冷却部３２とを備えている。本体部３１の各部位は、エアゾール容器２内からステム孔を介して吐出された内容物Ａを、内部空間３３に移動させ、冷却部３２を装着することができる形状であれば、その形状は特に限定されないが、本実施形態では、本体部３１は、一端側がステム２１ｄの端部に取り付けられる筒状のステム装着部３１ｂと、ステム装着部３１ｂの他端側からエアゾール容器２の外周方向に延びる平板部３１ｃと、平板部３１ｃの外周からステム装着部３１ｂと同方向に延びる側部３１ｄとを備えている。側部３１ｄには、冷却部３２を取り付けるための段部３１ｅが形成されており、その段部３１ｅに冷却部３２が外側から嵌め込まれている。ステム装着部３１ｂには、ステム２１ｄ内の通路と連通する中心通路３１ａが形成されており、この中心通路３１ａは、エアゾール容器２内部と、内部空間３３との間に設けられている。エアゾール製品１を操作することにより、ステム孔から吐出される内容物Ａを、中心通路３１ａを介して内部空間３３へと移動させる。
【００４８】
冷却部３２はさらに、内部空間３３と冷却具３の外部との間に形成された連通路３４と、冷却具３の外側表面側に設けられた金属製の冷却板３５と、冷却板３５と内部空間３３との間に設けられた非金属製の隔壁３６ａとを備えている。より具体的には、冷却部３２は、本体部３１に装着され、非金属製の隔壁３６ａを含む非金属製の基部３６を備え、基部３６は、内部空間３３を形成するために、中心通路３１ａに対して外周方向に広がる凹み部３６ｂが形成されている。内部空間３３は、エアゾール製品１の操作によりエアゾール容器２から吐出された内容物Ａを一時的に保持する部位であり、凹み部３６ｂにより、中心通路３１ａに対して垂直な方向に広がっている。本実施形態では、図１（ａ）に示されるように、連通路３４の内部空間側の端部が、凹み部３６ｂの外周側に配置されている。基部３６の凹み部３６ｂと本体部３１の平板部３１ｃとにより形成された内部空間３３内に移動した内容物Ａは、詳細は後述するが、内部空間３３内の中心から外周側の連通路３４に向かって移動して気化し、連通路３４を通って冷却具３の外部に吐出され、気化熱により冷却板３５を冷却する。
【００４９】
金属製の冷却板３５は、人体の皮膚に押し当てられて、冷却板３５により押し当てられた皮膚を冷却するための部位である。なお、冷却板３５は、内容物Ａに有効成分を含有する場合には、内容物Ａが外部に吐出された吐出物を塗布するためにも用いることができる。冷却板３５は、連通路３４から吐出された内容物Ａ中の液化ガスが気化した気化熱により、連通路３４周辺の部位が冷却され、連通路３４周辺から、人体に押し当てられる冷却板３５の中央部まで熱を伝えて人体を冷却する。金属製の冷却板３５を用いることにより、液化ガスの気化熱が伝わりやすく、冷却効果を高めることができる。金属製の冷却板３５としては、アルミニウム、銅、チタン、またはこれらの合金のような熱伝導率の高い金属材料が好適に用いられる。冷却板３５の厚さは特に限定されないが、冷却効果の持続と、連通路３４周辺からの熱伝達を良好にするために、０．０１〜２ｍｍであることが好ましい。
【００５０】
また、本実施形態では、図１（ａ）に示されるように、冷却板３５が、基部３６とは反対側に向かって凸となる凸面状に形成され、凸面状の冷却板３５の頂部が、連通路３４の出口側の端部（図１（ａ）中、上側の端部）よりも突出した位置となるように形成されている。すなわち、図１（ａ）に示されるように、連通路３４が設けられる冷却板３５の外周側よりも、冷却板３５の中央部が突出するように湾曲し、冷却具３を人体に押し付けたときに、冷却板３５の中央部のみが人体に接触し、冷却板３５の外周部は接触しないように構成されている。したがって、エアゾール容器２から吐出された内容物Ａは中心通路３１ａを通って隔壁３６ａに衝突して連通路３４側に流れるため、内容物Ａ中の液化ガスが直接皮膚に集中して接触しにくく、皮膚が過冷却されることを防止することができる。
【００５１】
基部３６は、本体部３１に装着され、冷却板３５を支持する部材である。また、基部３６は、中心通路３１ａから内部空間３３内に移動した内容物Ａ中の液化ガスにより、冷却板３５が直接冷却されないように、内部空間３３と冷却板３５との間に、非金属製の隔壁３６ａを設けている。本実施形態では、基部３６全体が非金属製として構成されているが、隔壁３６ａ部分のみが非金属製であってもよい。内部空間３３と冷却板３５との間に隔壁３６ａが設けられていることにより、人体との接触部位となる冷却板３５の中央部が冷却され過ぎないため、皮膚の過冷却による痛みを防止することができる。隔壁３６ａや基部３６に用いられる非金属材料は、金属以外の熱伝導率が低い材料であれば特に限定されないが、ポリアセタール、ナイロン、ポリブチレンテレフタレート等の合成樹脂や、シリコーンゴム、合成ゴムなどのゴムが好適に用いられる。隔壁３６ａの厚さは特に限定されないが、冷却板３５からの熱が内部空間３３内に伝わりにくいが、冷却板３５の中央部を適度に冷却することを可能にするため、０．５〜５ｍｍであることが好ましい。
【００５２】
また、本実施形態では、連通路３４が、隔壁３６ａおよび冷却板３５を貫通して形成された通路として形成されている。より具体的には、隔壁３６ａに形成された隔壁側連通路３４ａと、冷却板３５に形成された冷却板側連通路３４ｂが、１つの通路として、内部空間３３と冷却具３の外部とを連通している。隔壁３６ａと冷却板３５を貫通する通路として構成されていることにより、内容物Ａが有効成分を含む場合に、冷却板３５により吐出された吐出物を皮膚に塗布しやすくなる。また、図１（ｂ）に示されるように、本実施形態では、連通路３４が、環状に設けられた複数の連通孔として形成されている。本実施形態のように、等間隔で環状に連通路３４が設けられることにより、冷却板３５を冷却板３５の外周側から中央部に向かって、均等に冷却することができる。
【００５３】
図２（ａ）〜（ｃ）は、本実施形態の連通路３４の変形例を示している。図２（ａ）は、隔壁側連通路３４ａと冷却板側連通路３４ｂとが、同心円状に配置されているが、その同心円の円周上で所定の間隔をあけて配置され、隔壁側連通路３４ａと冷却板側連通路３４ｂとは、隔壁３６ａに設けられた溝状通路３４ｃにより互いに接続されている。図２（ｂ）は、隔壁側連通路３４ａと冷却板側連通路３４ｂとが、異なる径の円周上にそれぞれ所定の間隔をあけて配置され、隔壁側連通路３４ａと冷却板側連通路３４ｂとが、隔壁３６ａに設けられた溝状通路３４ｃにより互いに接続されている。図２（ａ）および図２（ｂ）の変形例では、ともに冷却板３５の外周部において、溝状通路３４ｃの長さの分だけ、内容物Ａ中の液化ガスと冷却板３５との接触面積が増えるため、冷却板３５の外周部における冷却効果が高まり、より効率良く冷却板３５を冷却することができる。図２（ｃ）の変形例は、連通路３４を、長孔またはスリット状に形成したものである。この場合、連通路３４の開口面積が大きいため、冷却板３５の冷却速度を速めることができる。
【００５４】
つぎに、図３を用いて本発明のエアゾール製品１の効果を説明する。
【００５５】
図３に示されるように、本実施形態のエアゾール製品１は、冷却板３５を人体の皮膚Ｓに押し当てて使用される。図３に示されるように、冷却板３５の頂部を含む中央部が皮膚Ｓに接触する。この状態から、エアゾール製品１全体を皮膚Ｓに対して押し付けると、ステム２１ｄがスプリング２１ｃの付勢力に抗して、ハウジング２１ｂ内に押し込まれ、ステムラバー２１ｅにより塞がれていたステム孔がエアゾール容器２の内部と連通する。それにより、エアゾール容器２内部の内容物Ａが、ステム２１ｄから中心通路３１ａを通って、内部空間３３に移動する。中心通路３１ａよりも断面積が大きくなった内部空間３３に移動した内容物Ａは、内容物Ａ中の液化ガスが気化し始める。また、内部空間３３に移動した内容物Ａは、隔壁３６ａに衝突して、図３中、左右に移動して内容物Ａ自身を冷却しながら内部空間３３内全体を冷却し、連通路３４に向かい、連通路３４から外部に吐出される。内部空間３３内で自己冷却された内容物Ａ中には液化ガスの一部が含まれており、液化ガスは連通路３４から外部に吐出されたときに気化し冷却板３５を冷却することができる。
【００５６】
冷却板３５は、非金属製の隔壁３６ａが設けられているため、中心通路３１ａから内部空間３３に移動して気化した内容物Ａ中の液化ガスにより皮膚Ｓと接触する中央部が直接冷却されるのではなく、連通路３４から吐出される液化ガスの一部を含む吐出物により、冷却板３５の外周部側から中央部に向かって冷却される。冷却板３５は、熱伝導性の高い金属製であるため、冷却された冷却板３５の外周部から皮膚Ｓと接触する冷却板３５の中央部まで、熱が伝わりやすい。したがって、金属製の冷却板３５を用いることにより、冷却板３５を強く冷却することができる。また、冷却板３５は熱伝導性が高いため、皮膚Ｓから冷却板３５の中央部に向かって人体の体温により熱が伝わるが、冷却板３５と内部空間３３との間には、熱伝導性の低い非金属製の隔壁３６ａが設けられている。この隔壁３６ａにより、液化ガスの気化により冷却された内部空間３３内に皮膚Ｓからの熱が伝達しにくくなっている。したがって、エアゾール容器２内から内部空間３３内に移動した液化ガスにより冷却された内部空間３３内の温度が上がりにくく、内容物Ａ中の液化ガスがゆっくりと気化し、冷却効果を持続させることができる。
【００５７】
また、冷却板３５の外周部に設けられた、連通路３４の出口側の端部から液化ガスの一部を含み冷却された内容物Ａが吐出されるため、連通路３４の出口側の端部から冷却板３５の頂部に向かって冷却板３５が冷却される。したがって、冷却板３５の外周側から中心に向かって冷却されるため、人体の皮膚Ｓに直接接触する冷却板３５の中央部が過冷却されにくく、皮膚の過冷却による痛みを防止することができる。また、冷却板３５の頂部が、連通路３４の出口側の端部よりも突出した位置にあるため、人体の皮膚Ｓに冷却板３５を押し当てた際に、連通路３４の出口側の端部が、人体の皮膚Ｓにより塞がれていない。したがって、皮膚Ｓの過冷却による痛みを防ぐことができるうえ、冷却板３５を人体の皮膚Ｓに押し当てたまま、エアゾール容器２から連続して内容物Ａを吐出することができる。
【００５８】
なお、本実施形態の冷却板３５は、冷却板３５の外周部から中央部にかけて、ドーム状に湾曲した凸面状の冷却板３５として示されているが、凸面状の冷却板は、図示した形状に限らず、たとえば、中央部と外周部との間に段差が設けられた段状に形成してもよく、中央部のみドーム状に形成し、外周部は平坦面として形成してもよい。
【００５９】
また、本実施形態の連通路３４は、円形の連通孔が８つ形成されたものとして示されているが、連通路３４の形状、個数、配置関係は図示したものに限定されるものではなく、本発明の目的を達成できる範囲で、連続した環状の連通路であってもよいし、不規則な配置関係で設けられたものであってもよい。
【００６０】
また、本実施形態の本体部３１および冷却部３２は別部材として示されているが、本体部および冷却部を一体とした冷却具を用いてもよい。また、本実施形態では、隔壁３６ａは基部３６の一部として示しているが、隔壁を別部材として取り付けることにより設けてもよい。
【００６１】
また、本実施形態のエアゾール製品１は、エアゾール容器２の軸線下方に移動することによりステム孔が開放されるプッシュダウン式として示されているが、ステムを傾動させることにより、ステム孔が開放されるような構成など、他の吐出構造を用いてもよい。また、本実施形態のエアゾール製品１は、エアゾール製品１を倒立状態にして使用するものを例にあげて説明したが、ディップチューブ等を設けて、直立状態で使用するように構成してもよい。
【００６２】
実施の形態２
実施の形態２のエアゾール製品１０は、基本的な構成は実施の形態１と同様であるので、相違点を中心に説明する。
【００６３】
図４（ａ）および（ｂ）に示されるように、本実施形態のエアゾール製品１０は、実施の形態１と異なり、冷却板３５に連通路が形成されておらず、連通路３４の出口側の端部が冷却板３５の外周縁に沿った位置に配置されるように、連通路３４が形成されている。連通路３４は、本実施形態では、図４（ｂ）に示されるように、複数の連通路３４が等間隔に設けられ、連通路３４の内部空間側の端部から冷却板３５の外周縁方向に延びて、出口側の端部が冷却板３５の外周縁に接するように設けられている。本実施形態では、連通路３４の内部空間側の端部から冷却板３５の外周縁にかけて、内部空間３３内で気化した液化ガスが冷却板３５の裏面に接触するように構成されている。したがって、実施の形態１による効果に加え、冷却板３５の外周側からの冷却をより効率良く行うことができる。また、冷却板３５に連通路を設ける必要がないため、冷却板３５の加工が容易となる。
【００６４】
実施の形態３
実施の形態３のエアゾール製品１１は、基本的な構成は実施の形態１と同様であるので、相違点を中心に説明する。
【００６５】
図５（ａ）および（ｂ）に示されるように、本実施形態のエアゾール製品１１は、実施の形態１および２と比較して小型化されたものである。本実施形態のエアゾール製品１１は、たとえば、目元やツボなど、ピンポイントで冷却する際に用いられる。構成要素としては、実施の形態１と同様であるが、ピンポイントで冷却するために、実施の形態１および２と比較して、冷却板３５を小さくし、冷却板３５の幅に対する突出高さを大きくしている。具体的には、冷却板３５の幅が１０〜２０ｍｍで、連通路３４の出口側の端部から冷却板３５の頂部までの突出高さが１〜５ｍｍであることが好ましい。本実施形態では、実施の形態１および２と同様の効果に加え、目元やツボなどピンポイントで冷却したい部位を、確実に冷却することができ、さらに、持ち運びに適した携帯用の冷却用エアゾール製品としても適している。
【符号の説明】
【００６６】
１、１０、１１  エアゾール製品
２  エアゾール容器
２ａ  ビード部
２１  エアゾールバルブ
２１ａ  マウンティングカップ
２１ｂ  ハウジング
２１ｃ  スプリング
２１ｄ  ステム
２１ｅ  ステムラバー
３  冷却具
３１  本体部
３１ａ  中心通路
３１ｂ  ステム装着部
３１ｃ  平板部
３１ｄ  側部
３１ｅ  段部
３２  冷却部
３３  内部空間
３４  連通路
３４ａ  隔壁側連通路
３４ｂ  冷却板側連通路
３４ｃ  溝状通路
３５  冷却板
３６  基部
３６ａ  隔壁
３６ｂ  凹み部
４  肩カバー
Ａ  内容物
Ｓ  皮膚
【図１】
2014234226.tif 000003
【図２】
2014234226.tif 000004
【図３】
2014234226.tif 000005
【図４】
2014234226.tif 000006
【図５】
2014234226.tif 000007
【図６】
2014234226.tif 000008
【図７】
2014234226.tif 000009
【図８】
2014234226.tif 000010